(57)【要約】【目的】  フラッシュ調光装置のファームウエアを書き込む事が簡単に時間と費用を要せず行うことが可能なフラッシュ調光装置を提供する。【構成】  カメラ外部に装着され、内部にブートプログラミングタイプのＦｌａｓｈＲＯＭタイプＣＰＵのファームウエアを有するフラッシュ調光装置において、前記フラッシュ調光装置内部でカメラとのインターフェース回路に書き込み用回路を設け、前記フラッシュ調光装置のシュー部６の電気接点を使用し、フラッシュ調光装置を解体しないでＦｌａｓｈＲＯＭタイプＣＰＵ１の書き込みが出来るようにした。【選択図】図４
2007047515.tif 000002
【特許請求の範囲】
【請求項１】
カメラ外部に装着され、内部にブートプログラミングタイプのＦｌａｓｈＲＯＭタイプＣＰＵのファームウエアを有するフラッシュ調光装置において、前記フラッシュ調光装置内部でカメラとのインターフェース回路に書き込み用回路を設け、前記フラッシュ調光装置のシュー部の電気接点を使用し、フラッシュ調光装置を解体しないでＦｌａｓｈＲＯＭタイプＣＰＵの書き込みが出来るようにしたことを特徴とするフラッシュ調光装置の書き込みシステム。
【請求項２】
カメラ外部に装着され、内部にＦｌａｓｈＲＯＭタイプＣＰＵのファームウエアを有するフラッシュ調光装置において、前記ＦｌａｓｈＲＯＭタイプＣＰＵのファームウエア書き込み用コネクタを前記フラッシュ調光装置の電池室の内部に設け、フラッシュライタを使用し、フラッシュ調光装置を解体しないでＦｌａｓｈＲＯＭタイプＣＰＵの書き込みが出来るようにしたことを特徴とするフラッシュ調光装置の書き込みシステム。
【発明の詳細な説明】
【技術分野】
【０００１】
本発明はフラッシュ調光装置の試作、量産、修理時のファームウエアの書き込みに関する。
【背景技術】
【０００２】
フラッシュ調光装置のＦｌａｓｈＲＯＭタイプＣＰＵのファームウエアの書き込みはＣＰＵ単体の状態で行う方法と、ＦｌａｓｈＲＯＭタイプＣＰＵの搭載されている基板を使用して行う方法がある。また、フラッシュ調光装置が完成品となっている場合はフラッシュ調光装置完成品の一部を解体して、ＦｌａｓｈＲＯＭタイプＣＰＵの基板と接続されているコネクタに書き込みライタを繋いで、ＦｌａｓｈＲＯＭタイプＣＰＵのファームウエアの書き込みを行っている。
【０００３】
フラッシュ調光装置のオンボード上でのＦｌａｓｈＲＯＭタイプＣＰＵの書き込みの方法は３線式シリアルＩ／Ｏ方式とＵＡＲＴ方式の２種類がある。その配線は３線式シリアルＩ／Ｏ方式で信号線５本及びその他電源線の接続を要し、また、ＵＡＲＴ方式は信号線４本及びその他電源線の接続を要するものである。この配線の為に書き込み用コネクタを設けて、これに書き込み用ライタを接続して書き込みを行うものである。
【非特許文献１】「ＮＥＣ  ペーパ・マシン  μＰＤ７８Ｆ９４１８」、ＮＥＣ、１９９７年、Ｐ９５〜９７」
【発明の開示】
【発明が解決しようとする課題】
【０００４】
しかしながら、上記従来の方法ではフラッシュ調光装置の完成品状態から書き込む場合は、書き込み用コネクタに書き込み用ライタからのプラグを差し込めるようフラッシュ調光装置の完成品を解体する。具体的にはビスを外してからケースを取り外した上で、プラグを書き込み用コネクタに挿入し書き込みを行う。このようにフラッシュ調光装置の完成品を解体するため、フラッシュ調光装置の完成品に傷が付きやすくなり、また、解体と書き込み後の組立の時間及び費用を多く費やすことになる。
【０００５】
本発明の目的はフラッシュ調光装置のファームウエアを書き込む事が簡単に時間と費用を要せず行うことが可能なフラッシュ調光装置を提供することである。
【課題を解決するための手段】
【０００６】
本発明の請求項１に係る発明はカメラ外部に装着され、内部にブートプログラミングタイプのＦｌａｓｈＲＯＭタイプＣＰＵのファームウエアを有するフラッシュ調光装置において、前記フラッシュ調光装置内部でカメラとのインターフェース回路に書き込み用回路を設け、前記フラッシュ調光装置のシュー部の電気接点を使用し、フラッシュ調光装置を解体しないでＦｌａｓｈＲＯＭタイプＣＰＵの書き込みが出来るようにしたことを特徴とするものである。
【０００７】
また、本発明の請求項２に係る発明はカメラ外部に装着され、内部にＦｌａｓｈＲＯＭタイプＣＰＵのファームウエアを有するフラッシュ調光装置において、前記ＦｌａｓｈＲＯＭタイプＣＰＵのファームウエア書き込み用コネクタを前記フラッシュ調光装置の電池室の内部に設け、フラッシュライタを使用し、フラッシュ調光装置を解体しないでＦｌａｓｈＲＯＭタイプＣＰＵの書き込みが出来るようにしたことを特徴とするものである。
【発明の効果】
【０００８】
本発明のフラッシュ調光装置の書き込みシステムは、カメラ外部に装着され、内部にブートプログラミングタイプのＦｌａｓｈＲＯＭタイプＣＰＵのファームウエアを有するフラッシュ調光装置において、前記フラッシュ調光装置内部でカメラとのインターフェース回路に書き込み用回路を設け、前記フラッシュ調光装置のシュー部の電気接点を使用し、フラッシュ調光装置を解体しないでＦｌａｓｈＲＯＭタイプＣＰＵの書き込みが出来るようにしたので、作業時間、費用が大幅に削減し、フラッシュ調光装置の完成品に傷が付く危険性も少なくなる。
【０００９】
また、カメラ外部に装着され、内部にＦｌａｓｈＲＯＭタイプＣＰＵのファームウエアを有するフラッシュ調光装置において、前記ＦｌａｓｈＲＯＭタイプＣＰＵのファームウエア書き込み用コネクタを前記フラッシュ調光装置の電池室の内部に設け、フラッシュライタを使用し、フラッシュ調光装置を解体しないでＦｌａｓｈＲＯＭタイプＣＰＵの書き込みが出来るようにしたので、ブートプログラミングタイプのＦｌａｓｈＲＯＭに置き換える手間及び費用が掛からないですむ。
【発明を実施するための最良の形態】
【００１０】
以下、図面等を参照して本発明の最も良好な実施形態を説明する。
【００１１】
図１はフラッシュ調光装置の３線式シリアル方式の書き込みコネクタとＦｌａｓｈＲＯＭタイプＣＰＵの搭載基板上での配線図で、図２はフラッシュ調光装置のＵＡＲＴ方式の書き込みコネクタとＦｌａｓｈＲＯＭタイプＣＰＵの搭載基板上での配線図である。図３はフラッシュライタを使用してＦｌａｓｈＲＯＭタイプＣＰＵに書き込むための環境概略図で、図４はＰＣからフラッシュ調光装置に書き込むための環境概略図である。図５はフラッシュ調光装置の電池室のコネクタの様子を示した斜視図で、図６はフラッシュ調光装置のカメラインターフェース回路の概略図である。
【００１２】
まず始めに、フラッシュライタを使用してフラッシュ調光装置のＣＰＵに書き込む場合について説明する。図３のＦｌａｓｈＲＯＭタイプＣＰＵを書き込むための環境概略図が示すようにＰＣ４からファームウエアをＲＳ−２３２Ｃ／ＵＳＢの通信でフラシュライタ５のメモリーに書き込み、フラッシュライタ５から３線シリアル／ＵＡＲＴ方式の通信でＦｌａｓｈＲＯＭタイプＣＰＵ１にファームウエアの書き込みを行う。
【００１３】
図１に示されるように、このＦｌａｓｈＲＯＭタイプＣＰＵ１の搭載された基板３上に書き込み用コネクタ２を設けることにより、フラッシュ調光装置の完成品状態からファームウエアを書き込む場合はこの書き込み用コネクタ２にフラッシュライタ５からの不図示のプラグを接続できるようになるまでフラッシュ調光装置の完成品を解体して、フラッシュライタ５から書き込める状態にしなければならなかった。
【００１４】
しかしながら、フラッシュ調光装置の完成品を解体しないために、図５のように、この書き込み用コネクタ２を不図示のフラッシュ調光装置の電池蓋によって、動作時は外部に露出していないフラッシュ調光装置の電池室の壁面に設けることにより容易に書き込む作業が可能になる。
【００１５】
これにより、フラッシュ調光装置の電池室の壁面の書き込み用コネクタ２にフラッシュライタ５の不図示の書き込み用プラグを接続する事で、フラッシュ調光装置の完成品を解体しなくてもファームウエアの書き込みが可能となる。
【００１６】
次に、ＰＣからフラッシュ調光装置のＣＰＵに書き込む場合について説明する。図４のＰＣからフラッシュ調光装置に書き込むための環境概略図に示すように、ブートプログラミングタイプのＦｌａｓｈＲＯＭタイプＣＰＵの場合は、ＦｌａｓｈＲＯＭタイプＣＰＵ１のファームウエアの書き込みはフラッシュ調光装置のシュー部６の電気接点からＦｌａｓｈＲＯＭタイプＣＰＵ１へ３線シリアル／ＵＡＲＴ方式の通信でＰＣ４からレベルコンバータ７へＲＳ−２３２Ｃ／ＵＳＢの通信を通して書き込みを行う。
【００１７】
また、フラッシュ調光装置内のＦｌａｓｈＲＯＭタイプＣＰＵ１とフラッシュ調光装置のシュー部６間の回路はカメラとのインターフェースを行う回路で構成されている。図６に示されるように、このインターフェース回路の通信方式は３線シリアル通信、あるいは２線シリアル通信で構成され、この通信信号のスレッシュホールドレベルはＴＴＬ／ＣＭＯＳの２通りを使用して信号の受け渡しを行っている。
【００１８】
図４のＦｌａｓｈＲＯＭタイプＣＰＵ１の書き込み用のＵＡＲＴ専用ポートをインターフェースＳＯ端子８，ＳＩ端子９に従来のポートと重畳接続し、書き込み時だけ使用するようにブートプログラミングする。
【００１９】
また、ＰＣ４とフラッシュ調光装置のシュー部６との間に前記フラッシュ調光装置内のカメラ用インターフェースの通信信号の電気的レベルがＴＴＬレベルであるために、図４に示されるようにＰＣ４との通信用信号の電気レベルをＰＣ／フラッシュ調光装置相互にレベルシフトさせるレベルコンバータ７を介して通信信号の電気レベルを合わせている。
【図面の簡単な説明】
【００２０】
【図１】フラッシュ調光装置の３線式シリアル方式の書き込みコネクタとＦｌａｓｈＲＯＭタイプＣＰＵの搭載基板上での配線図である。
【図２】フラッシュ調光装置のＵＡＲＴ方式の書き込みコネクタとＦｌａｓｈＲＯＭタイプＣＰＵの搭載基板上での配線図である。
【図３】フラッシュライタを使用してＦｌａｓｈＲＯＭタイプＣＰＵに書き込むための環境概略図である。
【図４】ＰＣからフラッシュ調光装置に書き込むための環境概略図である。
【図５】フラッシュ調光装置の電池室のコネクタの様子を示した斜視図である。
【図６】フラッシュ調光装置のカメラインターフェース回路の概略図である。
【符号の説明】
【００２１】
１  ＦｌａｓｈＲＯＭタイプＣＰＵ
２  書き込み用コネクタ
３  基板
４  ＰＣ
５  フラッシュライタ
６  フラッシュ調光装置のシュー部
７  レベルコンバータ
８  インターフェースＳＯ端子
９  インターフェースＳＩ端子
【図１】
2007047515.tif 000003
【図２】
2007047515.tif 000004
【図３】
2007047515.tif 000005
【図４】
2007047515.tif 000006
【図５】
2007047515.tif 000007
【図６】
2007047515.tif 000008